(57)【要約】      （修正有）【課題】原稿の搬送性を低下させることなく、鉛筆原稿の給紙時のオフセット防止することができる給紙装置、画像読み取り装置および画像形成装置を提供する。【解決手段】給紙装置１００は、原稿トレイ１０１上に載置された原稿束から原稿Ｓを１枚ずつ給紙する際に、撮像装置２０４を用いて原稿Ｓの原稿面を撮像して鉛筆原稿であるか否かを判定し、鉛筆原稿である場合には清掃部材２００の揺動軸２０３を中心として腕部２０２を矢印Ｃ方向に揺動させることによって、清掃シート２０１を給紙ローラー２１１に当接させ、給紙ローラー２１１に付着した鉛筆粉を清掃する。原稿Ｓのスキュー補正を完了した後、レジストローラー対２１５にて原稿Ｓを搬送し、これに給紙ローラー２１１を従動回転させる際には、清掃シート２０１を給紙ローラー２１１から離間させて、従動抵抗を低減する。これによって、給紙ローラー２１１に鉛筆粉が付着するのを防止する。【選択図】図２
2020200152.tif 000002
【特許請求の範囲】
【請求項１】
原稿を給紙する給紙回転体と、
前記給紙回転体の外周面を清掃する清掃部材と、
前記清掃部材を前記外周面に圧接離間させる制御手段と、を備え、
前記制御手段は、前記給紙回転体が前記原稿に従動回転する間、前記清掃部材を前記外周面から離間させる
ことを特徴とする給紙装置。
【請求項２】
前記制御手段は、前記給紙回転体にて原稿を給紙する際に、当該原稿から当該給紙回転体の外周面に付着した異物を、前記清掃部材を当該外周面に圧接して、清掃させる
ことを特徴とする請求項１に記載の給紙装置。
【請求項３】
前記原稿の搬送経路における前記給紙回転体の下流側に設けられ、前記原稿を搬送する下流側ローラーを備え、
前記給紙回転体は、前記原稿が前記下流側ローラーとの間で跨って搬送されている間に、前記従動回転を行う
ことを特徴とする請求項１または２に記載の給紙装置。
【請求項４】
前記清掃部材は、前記原稿の原稿面に接触する給紙回転体の外周面を清掃する
ことを特徴とする請求項１から３のいずれかに記載の給紙装置。
【請求項５】
前記清掃部材は、シート状の弾性部材を用いて前記外周面を清掃する
ことを特徴とする請求項１から４のいずれかに記載の給紙装置。
【請求項６】
前記原稿が鉛筆を用いて記載された鉛筆原稿であるか否かを判定する判定手段を備え、
前記制御手段は、前記原稿が鉛筆原稿であると判定された場合に、前記清掃部材を前記外周面に圧接させる
ことを特徴とする請求項１から５のいずれかに記載の給紙装置。
【請求項７】
前記制御手段は、前記鉛筆原稿が前記給紙回転体に接触する以前に、前記清掃部材を前記外周面に圧接させる
ことを特徴とする請求項６に記載の給紙装置。
【請求項８】
前記判定手段は、前記給紙回転体が前記原稿を搬送している状態で、前記原稿の、前記給紙回転体を通過していない部分のうち、前記給紙回転体に近い領域に鉛筆書きがなされているか否かを判定することによって、前記原稿が鉛筆原稿であるか否かを繰り返し判定する
ことを特徴とする請求項６または７に記載の給紙装置。
【請求項９】
請求項１から８の何れかに記載の給紙装置を備え、
前記給紙装置が給紙する原稿から画像を読み取る
ことを特徴とする画像読み取り装置。
【請求項１０】
請求項９に記載の画像読み取り装置を備え、
前記画像読み取り装置が生成した画像データを用いて画像を形成する
ことを特徴とする画像形成装置。
【発明の詳細な説明】
【技術分野】
【０００１】
本発明は、給紙装置、画像読み取り装置および画像形成装置に関し、特に、鉛筆原稿を給紙する際の鉛筆粉の転写に起因するオフセットを防止する技術に関する。
【背景技術】
【０００２】
近年、スキャナー装置に原稿を給紙して画像を読み取らせる給紙装置（ADF: Automatic Document Feeder）が、大部の原稿束を手軽に処理することができる便利さから広く普及しており、さまざまな種類の原稿をスキャナー装置へ送ることができるのだが、原稿の種類によっては問題を生じる場合がある。
【０００３】
鉛筆書きの原稿（以下、「鉛筆原稿」という。）を給紙する際に、鉛筆原稿と給紙ローラーとの間で微細なスリップが発生すると、鉛筆の粉が擦り取られて給紙ローラーに付着し、更に給紙ローラーから鉛筆粉が当該原稿の後半部分や後続の原稿に付着するオフセットが発生する。
【０００４】
また、原稿搬送路における給紙ローラーよりも下流側に位置するレジストローラー対に原稿が噛み込んで、レジストローラー対による原稿搬送が開始されると、給紙ローラーは回転駆動を停止され、原稿との摩擦によって従動回転する。この場合に、給紙ローラーの従動抵抗が大きいと、鉛筆粉が給紙ローラーに付着して、オフセットが発生する。
【０００５】
このような問題に対して、例えば、次のような従来技術が提案されている（特許文献１を参照）。図１０に示すように、画像記録装置１０の下側ガイド部材１００３は、画像記録部１００１と給紙トレイ１００２との間に設けられた原稿搬送路を形成し、下面にクリーニングパッド１００４が取り付けられた後方ガイド板１００５を有する。後方ガイド板１００５の前方端は、給紙アーム１００７とともに基軸１００６によって軸支されており、給紙アーム１００７の先端には給紙ローラー１００８が軸支されている。
【０００６】
画像記録装置１０に給紙トレイ１００２を装着した状態では、後方ガイド板１００５は給紙ローラー１００８から離間する一方、給紙トレイ１００２を抜去した状態では、後方ガイド板１００５が下降して、クリーニングパッド１００４を給紙ローラー１００８に接触させるので、給紙ローラー１００８に付着した鉛筆粉を清掃することができる。
【０００７】
しかしながら、画像記録装置１０にて鉛筆原稿を読み取る頻度と比較して、給紙トレイを挿抜する頻度が低過ぎる場合には、給紙ローラー１００８の清掃が間に合わなくなって、鉛筆粉の付着量が増大し、遂には給紙ローラー１００８による原稿の搬送性が悪化する。従って、搬送性の悪化を防止するためには、給紙ローラー１００８の清掃頻度を十分高くする必要がある。
【０００８】
このような問題に対して、例えば、次のような従来技術が提案されている（特許文献２を参照）。図１１に示すように、給紙ローラー対１１０１を構成する上ローラー１１０１ａに、清掃部材であるスポンジ１１０２を当接させることによって、上ローラー１１０１ａの外周面を帯電させ、原稿Ｓに付着している鉛筆粉などの異物を静電吸着する。この異物は、スポンジ１１０２によって上ローラー１１０１ａの外周面から掻き取られ、異物収容箱１１０３へ廃棄される。
【０００９】
このようにすれば、上ローラー１１０１ａの外周面を常時、清掃し続けるので、鉛筆粉の付着量の増大に起因する搬送性の悪化を防止することができる。
【先行技術文献】
【特許文献】
【００１０】
【特許文献１】特開２０１１−１３６８３０号公報
【特許文献２】特開２０１５−０６７４３４号公報
【発明の概要】
【発明が解決しようとする課題】
【００１１】
しかしながら、スポンジ１１０２を常時、上ローラー１１０１ａに当接させると、スポンジ１１０２の摩耗劣化が促進され、スポンジ１１０２を交換するための手間やコストが上昇する。また、給紙ローラーを従動回転させる際に、清掃部材を給紙ローラーに当接させていると、給紙ローラーの従動抵抗が高くなるので、原稿の搬送性が低下する恐れもある。
【００１２】
本発明は、上述のような問題に鑑みて為されたものであって、原稿の搬送性を低下させることなく、鉛筆原稿の給紙時のオフセット防止することができる給紙装置、画像読み取り装置および画像形成装置を提供することを目的とする。
【課題を解決するための手段】
【００１３】
上記目的を達成するため、本発明の一形態に係る給紙装置は、原稿を給紙する給紙回転体と、前記給紙回転体の外周面を清掃する清掃部材と、前記清掃部材を前記外周面に圧接離間させる制御手段と、を備え、前記制御手段は、前記給紙回転体が前記原稿に従動回転する間、前記清掃部材を前記外周面から離間させることを特徴とする。
【００１４】
この場合において、前記制御手段は、前記給紙回転体にて原稿を給紙する際に、当該原稿から当該給紙回転体の外周面に付着した異物を、前記清掃部材を当該外周面に圧接して、清掃させてもよい。
【００１５】
また、前記原稿の搬送経路における前記給紙回転体の下流側に設けられ、前記原稿を搬送する下流側ローラーを備え、前記給紙回転体は、前記原稿が前記下流側ローラーとの間で跨って搬送されている間に、前記従動回転を行ってもよい。
【００１６】
また、前記清掃部材は、前記原稿の原稿面に接触する給紙回転体の外周面を清掃してもよい。
【００１７】
また、前記清掃部材は、シート状の弾性部材を用いて前記外周面を清掃してもよい。
【００１８】
また、前記原稿が鉛筆を用いて記載された鉛筆原稿であるか否かを判定する判定手段を備え、前記制御手段は、前記原稿が鉛筆原稿であると判定された場合に、前記清掃部材を前記外周面に圧接させてもよい。
【００１９】
また、前記制御手段は、前記鉛筆原稿が前記給紙回転体に接触する以前に、前記清掃部材を前記外周面に圧接させてもよい。
【００２０】
また、前記判定手段は、前記給紙回転体が前記原稿を搬送している状態で、前記原稿の、前記給紙回転体を通過していない部分のうち、前記給紙回転体に近い領域に鉛筆書きがなされているか否かを判定することによって、前記原稿が鉛筆原稿であるか否かを繰り返し判定してもよい。
【００２１】
また、本発明の一形態に係る画像読み取り装置は、本発明の一形態に係る給紙装置を備え、前記給紙装置が給紙する原稿から画像を読み取ることを特徴とする。
【００２２】
また、本発明の一形態に係る画像形成装置は、本発明の一形態に係る画像読み取り装置を備え、前記画像読み取り装置が生成した画像データを用いて画像を形成することを特徴とする。
【発明の効果】
【００２３】
このようにすれば、鉛筆原稿を給紙した際の次の原稿へのオフセットを防止することができる。
【図面の簡単な説明】
【００２４】
【図１】本発明の実施の形態に係る画像形成装置１の主要な構成を示す図である。
【図２】給紙装置１００の主要な構成を示す図である。
【図３】清掃部材２００の主要な構成を示す模式図である。
【図４】清掃部材２００、給紙ローラー２１１および捌きローラー２１２の駆動力の伝達機構を示す図である。
【図５】制御部１０３の主要な構成を示すブロック図である。
【図６】制御部１０３の動作を表すフローチャートである。
【図７】本発明の変形例に係る制御部１０３の動作を表すフローチャートである。
【図８】本発明の変形例に係る給紙装置１００の主要な構成を示す図である。
【図９】本発明の別の変形例に係る給紙装置１００の主要な構成を示す図である。
【図１０】従来技術に係る画像記録装置の構成を示す図である。
【図１１】従来技術に係る搬送装置の異物除去部を示す図である。
【発明を実施するための形態】
【００２５】
以下、本発明に係る給紙装置、画像読み取り装置および画像形成装置の実施の形態について、図面を参照しながら説明する。
［１］画像形成装置の構成
まず、本発明の実施の形態に係る画像形成装置の構成について説明する。
【００２６】
図１に示すように、画像形成装置１はいわゆるタンデム型のカラー複合機（MFP: Multi-Function Peripheral）であって、画像読み取り部１１０、画像形成部１２０および給紙部１３０を備えている。画像読み取り部１１０は、給紙装置（ADF: Automatic Document Feeder。自動原稿搬送装置）１００と、スキャナー装置１１１とを備えている。
【００２７】
給紙装置１００は、シートスルー方式で原稿を読み取る際には、原稿トレイ１０１に載置された原稿束から原稿を１枚ずつ送り出して、原稿を搬送しながらスキャナー装置１１１にて画像を読み取り、画像データを生成する。その後、原稿は排紙トレイ１０２上に排出される。また、プラテン方式で原稿を読み取る場合には、プラテンガラス１１２に載置された原稿からスキャナー装置１１１にて画像を読み取って、画像データを生成する。なお、給紙装置１００は、後述するような制御部１０３を備えている。
【００２８】
画像形成部１２０は、スキャナー装置１１１が生成した画像データや他の装置から受け付けた画像データを用いて、イエロー（Ｙ）、マゼンタ（Ｍ）、シアン（Ｃ）およびブラック（Ｋ）各色のトナー像を形成する作像部１２１Ｙ、１２１Ｍ、１２１Ｃおよび１２１Ｋを備えている。作像部１２１Ｙ、１２１Ｍ、１２１Ｃおよび１２１Ｋが形成したＹＭＣＫ各色のトナー像は、中間転写ベルト１２２の外周面上で互いに重なり合うように静電転写される。これによって、カラートナー像が形成される。
【００２９】
中間転写ベルト１２２は、無端状のベルト体であって、駆動ローラー１２３、従動ローラー１２４およびテンションローラー１２５に掛け回されており、矢印Ａ方向に回転走行する。駆動ローラー１２３には、中間転写ベルト１２２を挟んで、２次転写ローラー１２６が圧接されており、この圧接によって２次転写ニップが形成されている。
【００３０】
給紙部１３０は、記録シートＳを収容した複数の給紙カセット１３１と、給紙カセットから記録シートＳを送り出すための給紙ローラーとを備えている。給紙ローラー１３２は、中間転写ベルト１２２が回転走行によってカラートナー像を２次転写ニップまで搬送するのにタイミングを合わせて、ユーザーが指定した紙種の記録シートＳを送り出す。
【００３１】
２次転写ローラー１２６には２次転写バイアスが印加されており、中間転写ベルト１２２から記録シートＳへカラートナー像が静電転写される。記録シートＳは、更に定着装置１２７へ搬送され、カラートナー像を熱定着された後、排出ローラー対１２８によって排紙トレイ１２９上に排出される。
［２］給紙装置１００の構成
次に、給紙装置１００の構成について説明する。
【００３２】
図２に示すように、給紙装置１００は、給紙ローラー２１１、捌きローラー２１２およびピックアップローラー２１３等を備えている。原稿を読み取る際には、まず、ピックアップローラー２１３が、給紙ローラー２１１の回転軸を揺動中心として矢印Ｂ方向に揺動し、更に矢印Ｃ方向に回転駆動されることによって、原稿トレイ１０１に載置された原稿束の最上位の原稿Ｓを送り出す。
【００３３】
給紙ローラー２１１は、捌きローラー２１２が圧接されることによって給紙ニップを形成している。給紙ローラー２１１は、矢印Ｄ方向に回転駆動されており、ピックアップローラー２１３によって送り出されることによって先端が給紙ニップに突入した原稿Ｓを搬送する。捌きローラー２１２は、矢印Ｅ方向に回転することによって、原稿Ｓとともに重送されている原稿がある場合には、当該重送原稿を原稿Ｓから分離する。
【００３４】
原稿センサー２１４は、例えば、超音波センサーであって、原稿Ｓの搬送路へ向けて超音波を出射し、反射された超音波の強度を検出する。この反射波の強度から、原稿Ｓの有無を判定することができるので、原稿Ｓの先端や後端が通過したタイミングを検出することができる。
【００３５】
レジストローラー対２１５は、原稿センサー２１４を用いて原稿Ｓの先端が検出されてから、所定時間を経過するまで停止することによって、原稿Ｓにループを形成させ、原稿Ｓのスキューを補正させる。当該所定時間を経過したら、給紙ローラー２１１、捌きローラー２１２およびピックアップローラー２１３の回転駆動を停止させ、レジストローラー対２１５は矢印Ｆ方向に回転駆動されることによって、原稿Ｓを更に搬送する。
【００３６】
給紙ローラー２１１、捌きローラー２１２およびピックアップローラー２１３は、レジストローラー対２１５によって搬送される原稿Ｓとの摩擦によって、従動回転する。
【００３７】
清掃部材２００は、清掃シート２０１、腕部２０２および揺動軸２０３を備えており、矢印Ｃ方向に揺動することができる。これによって、清掃部材２００は、給紙ローラー２１１の外周面に清掃シート２０１を当接させて、給紙ローラー２１１の外周面に付着した鉛筆粉を拭き取る清掃位置（実線）と、給紙ローラー２１１の外周面から清掃シート２０１を離間させた待機位置（一点鎖線）と、に移動することができる。清掃シート２０１としては、弾性を有する部材、例えば、スポンジ部材を用いることができる。
【００３８】
図３に示すように、清掃部材２００の揺動機構３００は弾性部材３０１とカム３０２とを備えている。弾性部材３０１は、例えば一端が清掃部材２００の腕部２０２に固定されたバネであって、清掃シート２０１を給紙ローラー２１１の外周面から離間させる方向に付勢する。この付勢によって、腕部２０２がカム３０２に当接しているので、カム３０２が回転軸３０３を中心に回転すると、腕部２０２ならびに清掃シート２０１が矢印Ｃ方向に揺動する。
【００３９】
給紙装置１００は、給紙ローラー２１１を回転駆動するための給紙モーター５１１（図５）を備えている。図４に示すように、給紙モーターの回転軸は、モーター出力部であるギヤ４０１に固定されている。ギヤ４０１から給紙クラッチ４０３に至る駆動力の伝達経路上には、減速機構として連結ギヤ４０２が設けられている。
【００４０】
本実施の形態においては、連結ギヤ４０２はモーター出力部４０１に歯合するギヤ４０２ａ、ギヤ４０２ａに歯合するギヤ４０２ｂおよびギヤ４０２ｂに歯合するギヤ４０２ｃの３つのギヤからなっているが、減速比や回転方向、あるいは連結ギヤ４０２を設けるための空間的な制約に応じて、ギヤの個数が異なっていてもよい。
【００４１】
給紙クラッチ４０３は、連結ギヤ４０２を経由した回転力を給紙ローラー２１１の回転軸４０４に接続、切断するためのクラッチであって、制御部１０３によって、接続−切断状態が制御される。
【００４２】
給紙ローラー２１１の回転軸４０４には、更に清掃クラッチ４０５が取着されている。清掃クラッチ４０５の接続−切断状態もまた制御部１０３によって制御される。清掃クラッチ４０５を接続した状態では、回転軸４０４の回転力が、清掃クラッチ４０５を経由して、清掃部材駆動ギヤ４０６に伝達される。清掃部材駆動ギヤ４０６の回転軸（不図示）がカム３０２に回転軸３０３に連結されているので、回転軸４０４が回転すると、カム３０２が回転駆動される。
【００４３】
清掃クラッチ４０５はトルクリミッターを備えており、清掃シート２０１が給紙ローラー２１１の外周面に当接すると、カム３０２の回転が停止する。また、清掃クラッチ４０５を切断した状態では、カム３０２が自由に回転することができるので、清掃部材２００の揺動機構３００の弾性部材３０１の付勢力によって、清掃シート２０１が給紙ローラー２１１の外周面から離間する。
【００４４】
伝達機構４０７は、給紙ローラー２１１の回転軸４０４に取着された伝達ギヤ４０７ａと、捌きローラー２１２の回転軸４０８に取着された伝達ギヤ４０７ｂとを備えており、伝達ギヤ４０７ａ、４０７ｂを歯合させることによって、捌きローラー２１２を矢印Ｅ方向に回転駆動する。
【００４５】
図２に戻って、撮像装置２０４は、原稿Ｓの表面を撮像する装置であって、例えば、ＣＣＤ（Charge-Coupled Device）カメラやＣＭＯＳ（Complementary Metal-Oxide-Semiconductor）カメラを用いることができる。撮像装置２０４が原稿Ｓに照明光を照射し、原稿Ｓからの反射光を撮像することによって生成した画像データは、制御部１０３にて、当該原稿Ｓが鉛筆原稿であるかどうかの判定に用いられる。
［３］制御部１０３の構成
次に、制御部１０３の構成について図５により説明する。
【００４６】
制御部１０３は、ＣＰＵ（Central Processing Unit）５０１、ＲＯＭ（Read Only Memory）５０２、ＲＡＭ（Random Access Memory）５０３およびタイマー５０４を備えており、電源投入などによってＣＰＵ５０１がリセットされると、ＣＰＵ５０１はＲＯＭ５０２からブートプログラムを読み出して起動し、ＲＡＭ５０３を作業用記憶領域として、ＲＯＭ５０２から制御プログラムを読み出して実行する。
【００４７】
また、ＣＰＵ５０１はタイマー５０４に所望の時間をセットした後、カウントダウンを開始させ、当該タイマー５０４にタイムアウトによるタイマー割り込みを発生させることによって、当該所望の時間が経過したかどうかを判定することができる。
【００４８】
このような構成を備えることにより、制御部１０３は原稿センサー２１４の検出状態を参照して、原稿Ｓの搬送状態を取得したり、給紙モーター５１１の動作状態を制御したりする。また、制御部１０３は、給紙クラッチ４０３ならびに清掃クラッチ４０５を接続したり、切断したりする。
［４］制御部１０３の動作
次に、制御部１０３の動作について説明する。
【００４９】
図６に示すように、制御部１０３は、ユーザーからの指示に応じて、原稿の搬送を開始する場合には（Ｓ６０１：ＹＥＳ）、まず、撮像装置２０４を用いて原稿Ｓの原稿面を撮像し、原稿Ｓが鉛筆原稿であるかどうかを判定する（Ｓ６０２）。原稿Ｓが鉛筆原稿であるかどうかの判定は、例えば、鉛筆画像は、印刷した線画とは異なって、筆圧の変化によって濃度が変化するため、印刷画像よりも濃度分布が広くなる点に着目して、撮像装置２０４を用いて撮像した原稿Ｓの原稿面の画像のうち、文字などの線画部分（画像データのうち白い画素以外の画素部分）を抽出し、その濃度分布が予め記憶している鉛筆画像の濃度分布に一致するかどうかを判定することによって行ってもよい。
【００５０】
なお、他の判定方法を用いて原稿Ｓが鉛筆原稿であるかどうかを判定してもよいことは言うまでもない。また、原稿Ｓが鉛筆原稿であるかどうかをユーザーに設定入力させてもよい。言うまでもなく、原稿Ｓの画像データを用いて、原稿Ｓが鉛筆原稿であるかどうかを判定すれば、原稿Ｓが鉛筆原稿であるかどうかをユーザーに設定入力させる場合と比較して、ユーザー操作の手間を低減することができるので、ユーザーの利便性を高めることができる。
【００５１】
原稿Ｓが鉛筆原稿であると判定した場合には（Ｓ６０３：ＹＥＳ）、清掃クラッチ４０５を接続して、清掃シート２０１を給紙ローラー２１１の外周面に圧接させる（Ｓ６０４）。
【００５２】
その後、給紙クラッチ４０３を接続し（Ｓ６０５）、給紙モーター５１１の回転を開始する（Ｓ６０６）。これによって、ピックアップローラー２１３が原稿Ｓに押し当てられるとともに、ピックアップローラー２１３ならびに給紙ローラー２１１の回転が開始され、原稿Ｓの給紙が開始する。
【００５３】
次に、原稿センサー２１４の出力信号を参照して（Ｓ６０７）、給紙された原稿Ｓの先端を検出したら（Ｓ６０８：ＹＥＳ）、原稿Ｓの先端が停止中のレジストローラー対２１５の搬送ニップに突き当たり、原稿Ｓがループを形成して、スキュー補正が完了するまでの時間をタイマー５０４にセットする（Ｓ６０９）。原稿Ｓの先端を検出していない場合には（Ｓ６０８：ＮＯ）、ステップＳ６０７に進んで、原稿センサー２１４の出力信号を繰り返し参照する。
【００５４】
その後、タイムアウトが発生したら、スキュー補正が完了したと判定して（Ｓ６１０：ＹＥＳ）、給紙クラッチ４０３を切断して、給紙ローラー２１１を原稿Ｓに従動回転できるようにするとともに、清掃クラッチ４０５を切断して、清掃シート２０１を給紙ローラー２１１の外周面から離間させる（Ｓ６１１）。このようにすれば、給紙ローラー２１１を原稿Ｓに従動回転させる際の従動抵抗を低減することができるので、鉛筆粉が給紙ローラーの外取面に付着して、オフセットが発生するのを防止することができる。
【００５５】
その後、給紙モーター５１１の回転を停止するとともに（Ｓ６１２）、レジストモーター５１２の回転を開始して、レジストローラー対２１５の回転駆動を開始し、原稿Ｓを更に搬送する（Ｓ６１３）。
【００５６】
当該原稿Ｓに続いて次に搬送すべき原稿Ｓがある場合には（Ｓ６１４：ＹＥＳ）、原稿センサー２１４の出力信号を参照して（Ｓ６１５）、現在搬送中の原稿Ｓの後端を検出したら（Ｓ６１６：ＹＥＳ）、ステップＳ６０２へ進んで、次の原稿Ｓの搬送を開始する。現在搬送中の原稿Ｓの後端を検出していない場合には（Ｓ６１６：ＮＯ）、ステップＳ６１５に進んで、原稿センサー２１４の出力信号を繰り返し参照する。次の原稿Ｓが無い場合には（Ｓ１６４：ＮＯ）、原稿Ｓの搬送を終了する。
【００５７】
このようにすれば、給紙ローラー２１１を従動回転させる際に、清掃シート２０１を給紙ローラー２１１から離間させるので、原稿Ｓの搬送性を低下させることなく、鉛筆原稿から給紙ローラー２１１へ鉛筆粉が付着するのを抑制して、オフセットを防止することができる。
［５］変形例
以上、本発明を実施の形態に基づいて説明してきたが、本発明が上述の実施の形態に限定されないのは勿論であり、以下のような変形例を実施することができる。
（５−１）上記実施の形態においては、原稿Ｓが鉛筆原稿であるかどうかを判定してから給紙を開始する場合を例にとって説明したが、本発明がこれに限定されないのは言うまでもなく、これに代えて次のようにしてもよい。
【００５８】
図７に示すように、図６で原稿の搬送を開始すると判断した後（Ｓ６０１：ＹＥＳ）、給紙クラッチを接続し（Ｓ７０１）、給紙モーター５１１の回転を開始する（Ｓ７０２）。次に、原稿Ｓを搬送しながら、撮像装置２０４を用いて原稿Ｓの原稿面のうち、給紙モーター５１１に進入しようとしている領域を撮像し、当該領域の画像データを用いて原稿Ｓが鉛筆原稿であるかどうかを判定する（Ｓ７０３）。原稿Ｓは鉛筆原稿であると判定した場合には（Ｓ７０４：ＹＥＳ）、清掃クラッチ４０５を接続しているかどうかを確認する。
【００５９】
清掃クラッチ４０５が接続されていない場合には（Ｓ７０５：ＹＥＳ）、清掃クラッチ４０５を接続する（Ｓ７０６）。これによって、給紙ローラー２１１の外周面に清掃シート２０１が押し付けられると、給紙ローラー２１１の外周面に付着した鉛筆粉の清掃が開始される。なお、清掃クラッチ４０５を既に接続している場合には（Ｓ７０５：ＮＯ）、清掃クラッチ４０５を更に接続する必要は無い。
【００６０】
原稿Ｓは鉛筆原稿でないと判定した場合（Ｓ７０４：ＮＯ）、並びにステップＳ７０６の処理を完了した後、原稿センサー２１４の出力信号を参照して（Ｓ７０７）、原稿Ｓの先端を検出したら（Ｓ７０８）、原稿Ｓのスキュー補正を完了するまでに要する時間をタイマー５０４にセットする（Ｓ７０９）。その後、タイマー５０４のタイムアウトによって、スキュー補正が完了したと判断したら（Ｓ７１０：ＹＥＳ）、図６のステップＳ６１１へ進んで、次の処理を実行する。これによって、清掃クラッチ４０５が切断されると、給紙ローラー２１１の外周面から清掃シート２０１が離間するので、給紙ローラー２１１の従動抵抗が低減される。
【００６１】
スキュー補正を完了するまでは（Ｓ７１０：ＮＯ）、ステップＳ７０３からＳ７０９までの処理を繰り返す。なお、原稿Ｓの先端を検出したら、その後、次の原稿Ｓの先端が原稿センサー２１４の検出範囲内に進入するまで、原稿Ｓの先端は検出されない。
【００６２】
このようにすれば、原稿Ｓの原稿面のうち、鉛筆書きされている領域が給紙ローラー２１１に接触するまで、清掃シート２０１を給紙ローラー２１１の外周面に圧接しない。従って、原稿Ｓの原稿面のうち鉛筆書きされていない領域が給紙ローラー２１１の外周面に接触しても鉛筆粉が付着せず、従って、給紙ローラー２１１の外周面を清掃する必要が無いのにもかかわらず、給紙ローラー２１１の外周面に清掃シート２０１を圧接させて、清掃シート２０１を無駄に損耗するの防止することができる。
（５−２）上記実施の形態においては、原稿Ｓの上面にのみ鉛筆書きがなされている場合を例にとって説明したが、本発明がこれに限定されないのは言うまでもなく、これに代えて次のようにしてもよい。
【００６３】
すなわち、原稿Ｓの両面に鉛筆書きがなされている可能性がある場合には、図８に示すように、給紙装置１００に清掃部材８００と撮像装置８０４を追加して、原稿Ｓの裏面に鉛筆書きがなされているかどうかを判定し、鉛筆書きがなされている場合には、清掃部材８００の揺動軸８０３を中心として腕部８０２を矢印Ｇ方向に揺動させることによって、清掃シート８０１を捌きローラー２１２の外周面に圧接させてもよい。
【００６４】
このようにすれば、原稿Ｓの両面を読み取る場合に、捌きローラー２１２を経由して原稿Ｓの裏面に鉛筆粉が付着するオフセットを防止することができる。また、原稿Ｓのスキュー補正を完了した後、捌きローラー２１２を原稿Ｓに従動回転させる場合に、清掃シート８０１を捌きローラー２１２の外周面から離間させれば、捌きローラー２１２の従動抵抗を低減することができる。従って、捌きローラー２１２に鉛筆粉が付着するのを低減することができるので、オフセットを防止することができる。
【００６５】
なお、撮像装置８０４が原稿Ｓの裏面を撮像するのを妨げないように、原稿Ｓを給紙ニップに導くガイド部材８１１は透明になっている。
（５−３）上記実施の形態においては、原稿Ｓの搬送方向における給紙ローラー２１１の上流側に清掃部材２００を配設する場合を例にとって説明したが、本発明がこれに限定されないのは言うまでもなく、当該上流側以外の位置に清掃部材２００を配設してもよい。例えば、図９に示すように、原稿Ｓの搬送方向における給紙ローラー２１１の下流側に清掃部材２００を配設しても、上記実施の形態と同様に揺動制御を行えば、同様の効果を得ることができる。
（５−４）上記実施の形態においては、清掃部材２００が原稿Ｓから給紙ローラー２１１の外周面に付着した鉛筆粉を清掃する場合を例にとって説明したが、本発明がこれに限定されないのは言うまでもなく、清掃部材２００は鉛筆粉に併せて鉛筆粉以外の異物、例えば、紙粉などを清掃してもよい。
【００６６】
この場合においても、給紙ローラー２１１を従動回転させる際に、清掃シート２０１を給紙ローラー２１１の外周面から離間させることによって、原稿Ｓから給紙ローラー２１１の外周面に紙粉などが付着するのを防止することができる。従って、紙粉などが給紙ローラー２１１の外周面に累積することによって、給紙ローラー２１１による原稿Ｓの搬送性が低下するのを防止することができる。
（５−５）上記実施の形態においては、清掃部材２００が清掃シート２０１を備える場合を例にとって説明したが、本発明がこれに限定されないのは言うまでもなく、清掃シート２０１に代えてシート形状以外の形状の部材を用いて清掃を行ってもよい。例えば、直方体形状のスポンジ部材や他の立体形状の部材を用いても、給紙ローラー２１１の外周面に付着した鉛筆粉を清掃することができる。
（５−６）上記実施の形態においては、給紙ローラー２１１を用いて原稿Ｓを給紙する場合を例にとって説明したが、本発明がこれに限定されないのは言うまでもなく、給紙ローラー２１１に代えて、給紙ベルトを用いて原稿Ｓを給紙してもよい。本発明は、給紙ローラー２１１であれ、給紙ベルトであれ、給紙回転体から清掃シート２０１を離間させて、給紙回転体の従動抵抗を低減するので、鉛筆粉のオフセットを防止することができる。
（５−７）上記実施の形態においては、画像形成装置１がタンデム方式のカラー複合機である場合を例にとって説明したが、本発明がこれに限定されないのは言うまでもなく、タンデム方式以外のカラー複合機であってもよいし、モノクロ複合機であってもよい。また、スキャナー装置やコピー装置、或いはファクシミリ装置のような単機能機に本発明を適用しても、同様の効果を得ることができる。
【産業上の利用可能性】
【００６７】
本発明に係る給紙装置、画像読み取り装置および画像形成装置は、鉛筆原稿を給紙する際の鉛筆粉の転写に起因するオフセットを防止する装置として有用である。
【符号の説明】
【００６８】
１………画像形成装置
１００…給紙装置
１１０…画像読み取り部
２００…清掃部材
２０１…清掃シート
２０２…腕部
２０３…揺動軸
２０４…撮像装置
【図１】
2020200152.tif 000003
【図２】
2020200152.tif 000004
【図３】
2020200152.tif 000005
【図４】
2020200152.tif 000006
【図５】
2020200152.tif 000007
【図６】
2020200152.tif 000008
【図７】
2020200152.tif 000009
【図８】
2020200152.tif 000010
【図９】
2020200152.tif 000011
【図１０】
2020200152.tif 000012
【図１１】
2020200152.tif 000013